(57)【特許請求の範囲】
【請求項１】
吸収体を含むシート積層体を前後に２つ折りし、その左右両側部を側縁に沿って接合してサイド接合部を形成した使い捨てパンツであって、
上記サイド接合部は、ヒートシールによって形成された基本接合部と追加接合部とで構成されており、
基本接合部は、上下方向に所定の間隔を隔てて配列された水平直線状の接着線群からなり、
追加接合部は、幅方向に２列で上下方向に所定の間隔を隔てて配列された斜行直線状の接着線群からなり、
基本接合部は追加接合部に対してパンツ幅方向の内側に配置されるとともに、
追加接合部の２列の接着線群は、パンツ胴腹部、股部または／および脚部からパンツ両側側縁に延びる各弾性伸縮部材の端が交差して接着保持されるように配置され、
基本接合部と追加接合部とが交差または接触していないことを特徴とする使い捨てパンツ。
【請求項２】
上記基本接合部を構成する水平直線状の接着線群は、接着線の長さが２〜１５ｍｍ、幅が０．４〜１０ｍｍ、接着線間の間隔が０．４〜１０ｍｍである請求項１記載の使い捨てパンツ。
【請求項３】
上記追加接合部を構成する斜行直線状の接着線群は、接着線の斜行角度がパンツ幅方向の水平線からの反時計回り角度で５〜４５度若しくは１３５〜１７５度を満足し、長さが２〜１４ｍｍ、幅が０．４〜１０ｍｍ、接着線間の間隔が０．４〜１０ｍｍである請求項１または２記載の使い捨てパンツ。
【請求項４】
上記追加接合部の２列の接着線群は、一方の列の接着線群の接着線の斜行角度と他方の列の接着線群の接着線の斜行角度とが、パンツ縦方向の垂直線に対して逆対称に形成されている請求項１〜３のいずれかに記載の使い捨てパンツ。
【請求項５】
上記追加接合部の２列の接着線群は、一方の列の接着線群の接着線の間に、他方の列の接着線群の接着線の端部が臨むように形成されている請求項１〜４のいずれかに記載の使い捨てパンツ。
【請求項６】
上記基本接合部と追加接合部のパンツ幅方向の全体長さが６〜２５ｍｍである請求項１〜５のいずれかに記載の使い捨てパンツ。
【発明の詳細な説明】
【０００１】
【発明の属する技術分野】
本発明は、左右両側のサイド接合部の接合パターンを工夫した使い捨てパンツに関する。
【０００２】
【従来の技術】
一般に、使い捨てパンツは、図２に示すように、透液性又は不透液性のバックシート２と、必要により最下層に不透液性シートを備えた吸収体４と、透液性のトップシート３とからなるシート積層体によって構成され、吸収体４を含むシート積層体２，３を前後に２つ折りし、その左右両側を側縁に沿ってヒートシールによるサイド接合部９により接合している。
【０００３】
これにより、使い捨てパンツ１の上部には胴部開口５が形成され、左右下部には一対の脚部開口６が形成されると共に、これらの周囲にゴム製の伸縮性弾性部材８ａ〜８ｃを添設することによって、ウエスト用ギャザー、ボディフィット用ギャザー、レッグ用ギャザーが形成されるようになる。
【０００４】
【発明が解決しようとする課題】
上記のような使い捨てパンツ１においては、従来から左右両側のヒートシールによるサイド接合部９の接合パターンについて様々な工夫がなされている。
【０００５】
従来技術（例えば特開平７−２２７４０７号公報参照）の接合パターンの基本接合部は、上下方向に所定の間隔を隔てて配列された横長直線状であり、追加接合部は、基本接合部に対して交差又は接触されている縦長直線状であって、かかる第１従来技術では、基本接合部と追加接合部とが交差又は接触することから、この交差部分又は接触部分にヒートシールによる熱集中が発生して穴があく等によって破断しやすくなるという問題がある。
【０００６】
本発明は、上記従来の問題を解決するためになされたもので、左右両側のサイド接合部がヒートシールにより破断しにくく、しかも、サイド接合部で伸縮性弾性部材の端の保持を良好に行いつつ、パンツ着用時の強度保持と使用後の破り易さとの好バランスが図れるように接合パターンを工夫した使い捨てパンツを提供することを目的とするものである。
【０００７】
【課題を解決するための手段】
上記課題を解決するために、本発明は、吸収体を含むシート積層体を前後に２つ折りし、その左右両側部を側縁に沿って接合してサイド接合部を形成した使い捨てパンツであって、
上記サイド接合部は、ヒートシールによって形成された基本接合部と追加接合部とで構成されており、基本接合部は、上下方向に所定の間隔を隔てて配列された水平直線状の接着線群からなり、追加接合部は、幅方向に２列で上下方向に所定の間隔を隔てて配列された斜行直線状の接着線群からなり、基本接合部は追加接合部に対してパンツ幅方向の内側に配置されるとともに、追加接合部の２列の接着線群は、パンツ胴腹部、股部または／および脚部からパンツ両側側縁に延びる各弾性伸縮部材の端が交差して接着保持されるように配置されていることを特徴とする使い捨てパンツを提供するものである。
【０００８】
本発明によれば、サイド接合部の基本接合部を水平直線状の接着線群とし、追加接合部を２列の斜行直線状の接着線群として、基本接合部を追加接合部に対してパンツ幅方向の内側に配置し、追加接合部の２列の接着線群をパンツ胴腹部などからパンツ両側側縁に延びる各弾性伸縮部材の端を交差して接着保持するように配置することにより、基本接合部は、パンツに幅方向の引張負荷を与えた時に、サイド接合部での安易な引きちぎれを防止するために接合の強度保持の機能を行い、追加接合部は、弾性伸縮部材を接着保持するとともに、破り易さを付加した機能を行うことになる。
【０００９】
請求項２のように、上記基本接合部を構成する水平直線状の接着線群は、接着線の長さが２〜１５ｍｍ、幅が０．４〜１０ｍｍ、接着線間の間隔が０．４〜１０ｍｍであるのが好ましい。
【００１０】
請求項３のように、上記追加接合部を構成する斜行直線状の接着線群は、接着線の斜行角度がパンツ幅方向の水平線からの反時計回り角度で５〜４５度若しくは１３５〜１７５度を満足し、長さが２〜１４ｍｍ、幅が０．４〜１０ｍｍ、接着線間の間隔が０．４〜１０ｍｍであるのが好ましい。
【００１１】
請求項４のように、上記追加接合部の２列の接着線群は、一方の列の接着線群の接着線の斜行角度と他方の列の接着線群の接着線の斜行角度とが、パンツ縦方向の垂直線に対して逆対称に形成されているのが好ましい。
【００１２】
請求項５のように、上記追加接合部の２列の接着線群は、一方の列の接着線群の接着線の間に、他方の列の接着線群の接着線の端部が臨むように形成されているのが好ましい。
【００１３】
請求項６のように、上記基本接合部と追加接合部のパンツ幅方向の全体長さが６〜２５ｍｍであるのが好ましい。
【００１４】
【発明の実施の形態】
以下、本発明の実施の形態を図面を参照して詳細に説明する。なお、従来技術と同一構成・作用の箇所は同一番号を付して詳細な説明は省略する。
【００１５】
図１の実施形態においては、図２の左右両側のサイド接合部９の内、向かって右側の接合パターンのみを示してあり、左側の接合パターンは右側の接合パターンと対称となる。上記サイド接合部９は、ヒートシールによって形成された基本接合部９Ａと追加接合部９Ｂ，９Ｃとで構成されている。
【００１６】
上記基本接合部９Ａは、上下方向に所定の間隔Ｔ１を隔てて配列された水平直線状の接着線９ａの接着線群からなり、追加接合部９Ｂ，９Ｃは、幅方向に２列で上下方向に所定の間隔Ｔ２を隔てて配列された斜行直線状の接着線９ｂ，９ｃの接着線群からなっている。
【００１７】
上記基本接合部９Ａは追加接合部９Ｂ，９Ｃに対してパンツ幅方向の内側に配置される。
【００１８】
また、上記追加接合部９Ｂ，９Ｃの２列の接着線群は、パンツ胴腹部、股部または／および脚部からパンツ両側側縁に延びる各弾性伸縮部材８ａ〜８ｃ（図２参照）の端が交差して接着保持されるように配置される。
【００１９】
上記基本接合部９Ａを構成する水平直線状の接着線群は、接着線９ａの長さＬ１が２〜１５ｍｍ、幅Ｗ１が０．４〜１０ｍｍ、接着線間の間隔Ｔ１が０．４〜１０ｍｍであるのが好ましい。
【００２０】
上記長さＬ１は、２ｍｍ未満ではシール部分の強度が不足し、１５ｍｍを越えるとシール部分の強度が過剰になって破り易さが損なわれる。この長さＬ１は３〜９ｍｍであるのが好ましい。
【００２１】
上記幅Ｗ１は、０．４ｍｍ未満ではシール部分の強度が不足し、１０ｍｍを越えるとシール部分周囲の素材がパンツ幅方向の引張負荷に耐えきれなくなって切れが生じて穴があく。この幅Ｗ１は０．７〜１．０ｍｍであるのが好ましい。
【００２２】
上記間隔Ｔ１は、０．４ｍｍ未満ではシール部分の間隔が狭いために熱シールによる溶けによって切れが生じ易く、１０ｍｍを越えるとシール部分のトータル強度を保つことができない。この間隔は０．５〜１．０ｍｍであるのが好ましい。
【００２３】
上記追加接合部９Ｂ，９Ｃを構成する斜行直線状の接着線群は、追加接合部９Ｂでは接着線９ｂの斜行角度θがパンツ幅方向の水平線からの反時計回り角度で５〜４５度、追加接合部９Ｃでは、接着線９ｃの斜行角度θがパンツ幅方向の水平線からの反時計回り角度で１３５〜１７５度を満足し、かつ長さＬ２が２〜１４ｍｍ、幅Ｗ２が０．４〜１０ｍｍ、接着線９ｃ間の間隔Ｔ２が０．４〜１０ｍｍであるのが好ましい。
【００２４】
上記斜行角度θは、５度（または１７５度）未満では弾性伸縮部材８ａ〜８ｃの端を保持することができず、４５度（または１３５度）を越えるとシール部分周囲の素材がパンツ幅方向の引張負荷に耐えきれなくなって切れが生じて穴があく。斜行角度θは２０〜３５度（または１４５〜１６０度）であるのが好ましい。
【００２５】
上記斜行接着線長さＬ２は、２ｍｍ未満ではシール部分の強度が不足し、１４ｍｍを越えるとシール部分周囲の素材がパンツ幅方向の引張負荷に耐えきれなくなって切れが生じて穴があく。この斜行接着線長さＬ２は２．５〜５．０ｍｍであるのが好ましい。
【００２６】
上記幅Ｗ２は、０．４ｍｍ未満では弾性伸縮部材８ａ〜８ｃの端の保持が十分でなくなり、１０ｍｍを越えるとサイド接合部９の全体長さが長くなり過ぎて実用的でない。この幅Ｗ２は０．７〜１．０ｍｍであるのが好ましい。
【００２７】
上記斜行接着線間の間隔Ｔ２は、０．４ｍｍ未満であれば、シール部分の間隔が狭いために熱シールによる溶けにより切れが生じ易くなり、１０ｍｍを越えるとサイド接合部９の全体長さが長くなり過ぎて実際的でない。この斜行接着線間の間隔Ｔ２は０．５〜１．０ｍｍであるのが好ましい。
【００２８】
上記追加接合部９Ｂ，９Ｃの２列の接着線群は、一方の列の接着線群の接着線９ｂの斜行角度θと他方の列の接着線群の接着線９ｃの斜行角度θとが、パンツ縦方向の垂直線Ｖに対して逆対称に形成されているのが好ましい。
【００２９】
また、上記追加接合部９Ｂ，９Ｃの２列の接着線群は、一方の列の接着線群の接着線９ｂの間に、他方の列の接着線群の接着線９ｃの端部９ｄが臨むように形成されているのが好ましい。
【００３０】
上記基本接合部９Ａと追加接合部９Ｂ，９Ｃのパンツ幅方向の全体長さＬ３は、６〜２５ｍｍであるのが好ましい。
【００３１】
上記全体長さＬ３は、６ｍｍ未満であればシール部分の強度や弾性伸縮部材８ａ〜８ｃの端の保持に満足した効果を得ることが難しく、２５ｍｍを越えるとサイド接合部９の全体長さが長くなり過ぎて実用的でない。
【００３２】
上記のように使い捨てパンツ１のサイド接合部９を構成すれば、サイド接合部９の基本接合部９Ａを水平直線状の接着線群とし、追加接合部９Ｂ，９Ｃを２列の斜行直線状の接着線群として、基本接合部９Ａを追加接合部９Ｂ，９Ｃに対してパンツ幅方向の内側に配置し、追加接合部９Ｂ，９Ｃの２列の接着線群をパンツ胴腹部などからパンツ両側側縁に延びる各弾性伸縮部材８ａ〜８ｃの端を交差して接着保持するように配置することにより、基本接合部９Ａは、パンツに幅方向の引張負荷を与えた時にサイド接合部９での安易な引きちぎれを防止するために接合の強度保持の機能を行い、追加接合部９Ｂ，９Ｃは、弾性伸縮部材８ａ〜８ｃを接着保持するとともに、破り易さを付加した機能を行うことから、サイド接合部９は、通常の引張負荷程度では破れずに、適度な方向及び引張負荷でのみ破れ易くなるので、サイド接合部９で伸縮性弾性部材８ａ〜８ｃの端の保持を良好に行いつつ、パンツ着用時の強度保持と使用後の破り易さとの好バランスを図ることができる。
【００３３】
また、基本接合部９Ａと追加接合部９Ｂ，９Ｃとが交差又は接触することが無いことから、従来技術のようなヒートシールによる熱集中が発生しなくなり、サイド接合部９がヒートシールにより破断しにくくなって強固な接合が可能となる。
【００３４】
【発明の効果】
以上の説明からも明らかなように、本発明は、サイド接合部の基本接合部を水平直線状の接着線群とし、追加接合部を２列の斜行直線状の接着線群として、基本接合部を追加接合部に対してパンツ幅方向の内側に配置し、追加接合部の２列の接着線群をパンツ胴腹部などからパンツ両側側縁に延びる各弾性伸縮部材の端を交差して接着保持するように配置することにより、基本接合部は、パンツに幅方向の引張負荷を与えた時に、サイド接合部での安易な引きちぎれを防止するために接合の強度保持の機能を行い、追加接合部は、弾性伸縮部材を接着保持するとともに、破り易さを付加した機能を行うことから、サイド接合部は、通常の引張負荷程度では破れずに、適度な方向及び引張負荷でのみ破れ易くなるので、サイド接合部で伸縮性弾性部材の端の保持を良好に行いつつ、パンツ着用時の強度保持と使用後の破り易さとの好バランスを図ることができる。
【００３５】
また、基本接合部と追加接合部とが交差又は接触することが無いことから、従来技術のようなヒートシールによる熱集中が発生しなくなり、サイド接合部がヒートシールにより破断しにくくなって強固な接合が可能となる。
【図面の簡単な説明】
【図１】  本発明のサイド接合部の接合パターン図である
【図２】  使い捨てパンツの正面図である。
【符号の説明】
１    使い捨てパンツ
２    バックシート
３    トップシート
４    吸収体
８ａ〜８ｃ  弾性伸縮部材
９    接合部
９Ａ  基本接合部
９Ｂ  追加接合部
９Ｃ  追加接合部
９ａ〜９ｃ  接着線
【図１】
0004276368.tif 000002
【図２】
0004276368.tif 000003